(57)【要約】【課題】オプション部材の取り付け個数を自由に選択できる構造とするとともに、オプション部材の支持部と背凭れの背面側の固定部との間に隙間が形成されない椅子を提供する。【解決手段】背凭れ１０の背面側に複数のオプション部材１３、２６を取り付け可能な椅子１において、前記背凭れ１０の背面に固定部２４が設けられるとともに、複数のオプション部材にはそれぞれ前後方向に重合可能となる支持部４５、６１を備え、前記背凭れの背面の固定部２４と複数のオプション部材の支持部４５、６１とを固定できるようになっている。【選択図】図９
2014083128.tif 000002
【特許請求の範囲】
【請求項１】
背凭れの背面側に複数のオプション部材を取り付け可能な椅子において、
前記背凭れの背面に固定部が設けられるとともに、前記複数のオプション部材にはそれぞれ前後方向に重合可能となる支持部を備え、前記背凭れの背面の固定部と前記複数のオプション部材の支持部とを固定できるようになっていることを特徴とする椅子。
【請求項２】
複数の前記オプション部材の支持部は、該支持部同士が凹凸嵌合によって連結されるための重合面を備えていることを特徴とする請求項１に記載の椅子。
【請求項３】
背凭れの背面側の固定部は、オプション部材の支持部と凹凸嵌合によって連結可能な重合面を備えていることを特徴とする請求項１または２に記載の椅子。
【請求項４】
前記オプション部材の支持部の前後両面にそれぞれ凹部態様の重合面と凸部態様の重合面を備え、これらの重合面は全ての前記オプション部材の支持部に共通に形成されているとともに、前記背凭れの背面側の固定部に凹部態様の重合面が形成されていることを特徴とする請求項１ないし３のいずれかに記載の椅子。
【請求項５】
前記オプション部材の支持部の後面が凹部態様の重合面として形成され、前記凹部態様の重合面と凹凸嵌合可能な凸部態様の重合面を前面に備えた装飾キャップを有していることを特徴とする請求項１ないし４のいずれかに記載の椅子。
【請求項６】
前記背凭れの背面側の固定部には雌ネジ部が設けられるとともに、複数の前記オプション部材の支持部には共通位置に貫通孔が設けられ、貫通孔を介して挿通される貫通ボルトで前記背凭れの背面側の固定部と複数の前記オプション部材の支持部とを一体に固定できるようになっていることを特徴とする請求項１ないし５のいずれかに記載の椅子。
【発明の詳細な説明】
【技術分野】
【０００１】
本発明は、背凭れの背面側にハンガーやヘッドレスト等のオプション部材を取り付けている椅子に関する。
【背景技術】
【０００２】
近年、背凭れの背面側にハンガーやヘッドレスト等のオプション部材を取り付けて椅子の用途を拡張し、その利便性を向上させるようにした椅子が開発されている。このようなオプション部材は椅子と別体に製造され、椅子の背凭れの背面側に固定するのが一般的である。これらのオプション部材として、例えば、ハンガー機能を持つオプション部材とヘッドレスト機能を持つオプション部材とを、同時に背凭れの背面側に配置させた椅子も存在する（下記、特許文献１参照）。
【先行技術文献】
【特許文献】
【０００３】
【特許文献１】特許第５００７４４４号公報
【発明の概要】
【発明が解決しようとする課題】
【０００４】
この椅子においては、張材が張設されるフレームに内周空間を有する箱状の取付部を設け、ハンガーとヘッドレストという２種類のオプション部材をこの取付部にそれぞれ内嵌、外嵌させることによって背凭れの背面側に取り付けている。この構造は、共通の取付部に２つの異なる部材を異なる態様で取り付けることによって、各々を個別に着脱自在にできる点で優れている。
【０００５】
しかし、背凭れの背面側に用意されている取付部は、内嵌、外嵌等によりハンガーとヘッドレストとそれぞれの支持部を固定するための構造であることから、この取付部には２個を超える個数のオプション部材の固定には利用できないばかりか、オプション部材であるハンガーとヘッドレストの何れかのみを固定部である取付部に取り付ける場合は、取付部（固定部）と一方のオプション部材の支持部との間にできる隙間に対して、カバー部材等を固定する必要があり、カバー部材等を固定しない場合はオプション部材の支持強度が低下することになる。
【０００６】
本発明は、上記の問題に鑑み、オプション部材の取り付け個数を自由に選択できる構造とするとともに、オプション部材の支持部と背凭れの背面側の固定部との間に隙間が形成されない椅子を提供することを目的とする。
【課題を解決するための手段】
【０００７】
前記課題を解決するために、本発明の椅子は、
背凭れの背面側に複数のオプション部材を取り付け可能な椅子において、
前記背凭れの背面に固定部が設けられるとともに、前記複数のオプション部材にはそれぞれ前後方向に重合可能となる支持部を備え、前記背凭れの背面の固定部と前記複数のオプション部材の支持部とを固定できるようになっていることを特徴としている。
この特徴によれば、複数のオプション部材の支持部同士が前後方向に重合した状態で背凭れの固定部に支持されるので、オプション部材の取り付け個数が制限されることなく重合固定できることになるばかりか、オプション部材の支持部と背凭れの背面側の固定部との間に隙間が形成されることがなく、支持強度を確保できる。
【０００８】
本発明の椅子は、
複数の前記オプション部材の支持部は、該支持部同士が凹凸嵌合によって連結されるための重合面を備えていることを特徴としている。
この特徴によれば、オプション部材の支持部同士が凹凸嵌合によって連結されることにより、両者の位置決めが容易になるばかりか、重合面同士の接触面積が大となり相互の支持強度を高めることができる。
【０００９】
本発明の椅子は、
背凭れの背面側の固定部は、オプション部材の支持部と凹凸嵌合によって連結可能な重合面を備えていることを特徴としている。
この特徴によれば、背凭れの背面側の固定部とオプション部材の支持部とが凹凸嵌合によって連結されることにより、両者の位置決めが容易になるばかりか、重合面同士の接触面積が大となり相互の支持強度を高めることができる。
【００１０】
本発明の椅子は、
前記オプション部材の支持部の前後両面にそれぞれ凹部態様の重合面と凸部態様の重合面を備え、これらの重合面は全ての前記オプション部材の支持部に共通に形成されているとともに、前記背凭れの背面側の固定部に凹部態様の重合面が形成されていることを特徴としている。
この特徴によれば、背凭れの背面側の固定部に取り付けられるオプション部材の配置順序を自由に選択して、背凭れの背面側の固定部とオプション部材の支持部とを凹凸嵌合によって固定できることになる。
【００１１】
本発明の椅子は、
前記オプション部材の支持部の背面が凹部態様の重合面として形成され、前記凹部態様の重合面と凹凸嵌合可能な凸部態様の重合面を正面に備えた装飾キャップを有していることを特徴としている。
この特徴によれば、重合固定された最後端のオプション部材の背面側の重合面を装飾キャップによって容易に隠蔽できることになる。
【００１２】
本発明の椅子は、
前記背凭れの背面側の固定部には雌ねじ部が設けられるとともに、複数の前記オプション部材の支持部には共通位置に貫通孔が設けられ、貫通孔を介して挿通される貫通ボルトで前記背凭れの背面側の固定部と複数の前記オプション部材の支持部とを一体に固定できるようになっていることを特徴としている。
この特徴によれば、重合するオプション部材を容易に且つ強力に背凭れの背面側の固定部に固定できることになる。
【図面の簡単な説明】
【００１３】
【図１】実施例における椅子を示す正面図である。
【図２】椅子を示す側面図である。
【図３】椅子を示す背面図である。
【図４】ハンガー装置を示す斜視図である。
【図５】ハンガー本体を示す正面図である。
【図６】筒状部材を示す正面図である。
【図７】筒状部材を示す背面図である。
【図８】（ａ）は、ハンガー装置の図４におけるＡ−Ａ断面を示す側断面図であり、（ｂ）は、同じくＢ−Ｂ断面を示す上断面図である。
【図９】ハンガー装置およびヘッドレスト装置の背凭れへの取り付けを説明する図である。
【図１０】ハンガー装置、ヘッドレスト装置および背凭れの重合の様子を示す上断面図である。
【発明を実施するための形態】
【００１４】
本発明に係る椅子を実施するための形態を実施例に基づいて以下に説明する。
【実施例】
【００１５】
実施例に係る椅子につき、図１から図１０を参照して説明する。以下、図２及び図７、８、１２（ａ）、１５、１６の紙面左側を椅子の正面側とし、図８（ｂ）の紙面下側を椅子の正面側として説明する。
【００１６】
図１の符号１は、本発明の適用された椅子である。この椅子１は、先端部にキャスタ２を備える放射状をなす５本の脚杆３を有する脚体４と、脚体４の中央に立設され、内部にガススプリング（図示略）が収容された伸縮式の脚柱５と、脚柱５の上端に後端部が固着された正面上方を向く支基６と、支基６の上方に支持された座７と、左右方向に延び前後方向に回動可能な軸８をもって支基６の左右両側にそれぞれ枢着され側面視で略Ｌ字状をなす背凭れ支持杆９と、背凭れ支持杆９の後端上部に支持された背凭れ１０と、座７の左右両側にそれぞれ上下方向に延設され下端が背凭れ支持杆９の左右にそれぞれ固着された肘掛支持柱１１と、肘掛支持柱１１の上端に固着された肘掛１２と、背凭れ１０の背面側上部に設けられたオプション部材としてのハンガー本体１４を有するハンガー装置１３とを備えている。
【００１７】
図１から図３に示すように、支基６は、前後方向に延びた箱状をなし、その内部には、座７を正面側方向に向かって常時付勢する公知の付勢手段、例えば特開２００５−２１１２４４号公報に記載れているような圧縮コイルバネと、この圧縮コイルバネの付勢力を調節する調節手段（いずれも図示略）とが収容されている。なお、これらの付勢手段や調節手段は、本発明に直接関係しないので、具体的な構成および詳細な説明は省略する。
【００１８】
また、座７は、上面視で枠状をなす座フレーム１５と、この座フレーム１５に取り付けられた合成樹脂製の座板（図示略）と、座板の上面および外周面を覆うように取り付けられたクッション材１６とからなる。
【００１９】
そして、座フレーム１５の前部および後部には、両側部が上向きに傾斜され、なおかつ中間部が座フレーム１５より下方に離間して左右方向に延びる横杆がそれぞれ固着されている。また、正面側の前部横杆１７の中間部は、支基６に設けられた圧縮コイルバネによって、正面側方向に付勢されている。また、背面側の後部横杆（図示略）の中間部は、背凭れ支持杆９の軸８よりやや背面側に設けられたブラケット（図示略）に回動可能に連結されており、背凭れ１０が背凭れ支持杆９とともに背面側方向に傾斜されると、座７の後部が背面側下方へ移動されるようになっている。
【００２０】
この座７の後部の移動に伴って、前部横杆１７が圧縮コイルバネによる付勢力に抗して、背面側下方に摺動され、座７の前部も背面側下方に移動される。このようにすることで、圧縮コイルバネの付勢力よる背凭れ１０の正面側方向への復帰回動力と、座７の正面側上方への復帰力とが得られて、着座者にとっての座り心地が向上する。
【００２１】
また、図２に示すように、背凭れ支持杆９は、前後方向に延設されるとともに後部側が上方に湾曲されている。この背凭れ支持杆９の前端部には、軸８が固着される。そして、この軸８が支基６の上面における脚柱５よりもやや正面側に枢着されることで、背凭れ支持杆９が軸８を中心に上下方向に回動可能になっている。また、背凭れ支持杆９の後端部には、側面視で略倒立Ｌ字状をなす固定片（図示略）が取り付けられている。
【００２２】
背凭れ１０は、前後方向に連通する開口面が下方に向けて漸次若干狭幅となる略方形枠状をなす硬質合成樹脂製の背凭れフレーム１８と、この背凭れフレーム１８の開口面の正面側に張設された張材１９とからなる。また、張材１９は、メッシュ材が方形に加工されて、上下左右に緊張された状態で開口面に張設されている。なお、張材１９は、メッシュ材以外の材質、例えば、織布、帆布等からなってもよい。
【００２３】
そして、背凭れフレーム１８は、上下方向の中央よりやや下方の部分が正面側に突出するように緩やかに屈曲する左右一対の側枠杆２０、２０と、側枠杆２０、２０の上端部同士を連結するとともに、左右方向の中央部が背面側方向に突出するように緩やかに湾曲する上枠杆２１と、左右両側の枠杆２０、２０の下端部同士をほぼ直線状に連結する下枠杆２２とからなる。
【００２４】
また、下枠杆２２には、正面側に向けて延設された前向片（図示略）が一体的に成形されている。そして、この前向片が、背凭れ支持杆９の上面にネジ止めされて、なおかつ上述の背凭れ支持杆９の固定片が、下枠杆２２の下面にネジ止めされる。これにより、背凭れ支持杆９に、背凭れフレーム１８が強固に取り付けられる。
【００２５】
また、背凭れフレーム１８の上枠杆２１の背面側の中央部には、図９に示すように、左右方向に延びるとともに下方側が上方側に対して漸次小となる台形状をなし、正面側方向に窪んだ凹状の固定部２４（嵌合凹部５２）が形成されている。この固定部２４は、後述するオプション部材の嵌合凸部を内側に嵌合可能となっている。さらに、この固定部２４の内側には、この固定部２４の形状よりも若干小さな相似形をなす台形形状の内窪み部が形成されており、この内窪み部の外周と嵌合凸部の外周との間の面が、本発明に係る凹部態様の重合面２７となっている。そして、この窪み部の内側には、上枠杆２１の内部に貫通するする貫通孔２５が左右に２つずつ形成されている。
【００２６】
次に、本発明に係るオプション部材としてのハンガー装置１３について説明する。図４に示すように、ハンガー装置１３は、椅子１の背面側に配置され衣服等が掛けられるハンガー本体１４と、ハンガー本体１４を支持し椅子１の背面側に取り付けられる筒状部材２８と、ハンガー本体１４の高さ位置を調整するための調整具３８からなる。これらのハンガー本体１４と筒状部材２８とは、合成樹脂材、例えば、ポリスチレンやポリプロピレン、アクリロニトリル−ブタジエン−スチレン樹脂等の加工材からなる。
【００２７】
また、ハンガー本体１４は、背広等が掛けられる程度の長さに左右方向に延設されたハンガー部６６と、このハンガー部６６の中央部から下方に延設された取付部３１とを備えている。このハンガー部６６は、正面視および背面視で、上方を向く板状をなしており、側面視で、正面側の端部が下方に屈曲する反り部６７を有するとともに、全体形状として上方が凸となる湾曲形状の反りを有する板状体となっている。そして、板状体の上面は、ハンガー部６６に掛けられる衣服の形状に合わせてラウンド状になっており（図９参照）、衣服等を型崩れさせることなく掛けることができるようになっている。
【００２８】
また、ハンガー部６６の前後方向および左右方向の中央部には、ハンガー部６６をなす板状体の上下方向に連通し左右方向に延設されたスリット状の開口部６９設けられており、開口部６９をネクタイやストール、ショールなどを掛ける部位として利用できるようになっている。
【００２９】
一方、取付部３１は、図５および図８（ｂ）に示すように、上断面視で内面が正面側を向く略Ｕ字状をなしているとともに、幅方向の中央に前後方向に貫通し上下方向に延設された支持溝３６を有している。また、取付部の正面側には、後述する調整具３８の掛止部３９の上面に係止されうる掛止段部３７が、上下方向に所定間隔で複数個設けられている。
【００３０】
次に、ハンガー装置１３の筒状部材２８について図６、図７及び図８に基づき説明する。この筒状部材２８は、上下端が開放された内周空間を備えた筒状部４２と、この筒状部４２の上端部から正面側方向に向けて連続的に延設されて前後方向を向く板状をなす支持部４５を有する。
【００３１】
図６に示すように、筒状部４２は、その正面側の中央より若干上方に、上下方向に延びるスリット状の止着孔４７が形成されており、後述する調整具３８の先端が止着されるようになっている。また、図７に示すように、筒状部４２の背面側には、正面側に設けられた止着孔４７に対向する位置には、筒状部４２の背面側から内周空間に貫通する挿通部５０が形成される。また、この挿通部５０には、後述する調整具３８を筒状部４２の背面の外周側から挿入できるようになっている。
【００３２】
また、図８に示すように、筒状部４２の内周空間は、前述のハンガー本体１４の取付部３１に対応する形状となっており、筒状部４２の背面側の内壁面と取付部３１の背面側の外周面とが摺接しつつ、取付部３１が筒状部材２８に対して上下方向に移動可能になっている。
【００３３】
そして、図６に示すように、筒状部４２の上端から前面側上方に向けて連続的に延設された支持部４５は、前後方向を向く板状をなしている。この支持部４５の正面側には、左右方向に延びるとともに下方側が上方側に対して漸次小となる台形状をなし正面側方向に突出した凸状の嵌合凸部２３が形成されている。この嵌合凸部２３は、上述の固定部２４の内側に嵌合可能となるように、固定部２４に対応する形状となっている。さらに、この嵌合凸部２３の内面は、上述の凹部態様の重合面２７と平行に形成されて相互に密接しうるようになっており、凹部態様の重合面２７と重合可能な凸部態様の重合面２７’となっている。また、この嵌合凸部２３の内面には、背凭れ１０の貫通孔２５に対応する共通の位置に、支持部４５の背面側に貫通する貫通孔２５’が左右に２つずつ形成されている。
【００３４】
一方、支持部４５の背面側には、図７に示すように、支持部４５の正面側から貫通される貫通孔２５’を囲うように、背凭れ１０の固定部２４と同様の嵌合凹部５２’が形成されており、固定部２４と共通の形状をなす凹部態様の重合面２７’’が形成される。
【００３５】
また、調整具３８は、図８に示すように、挿通部５０に挿入可能な外径を有す円形状をなす鍔部５３と、この鍔部５３の正面側の中央部から垂直方向に延設された操作杆５４を備えている。そして、鍔部５３の正面側の操作杆５４の先端には、調整具３８が筒状部材２８の挿通部５０に挿入されて、付勢手段としてのコイルバネ６０により調整具３８が背面方向に付勢された状態で、筒状部材２８の正面側の止着孔４７に止着される止着部５７が設けられている。
【００３６】
さらに、操作杆５４は、左右方向に突出され上述の掛止段部３７に掛合可能な掛止部３９が設けられている。この掛止部３９は、図８（ｂ）に示すように、調整具３８が筒状部材２８の挿通部５０に挿入されて、付勢手段としてのコイルバネ６０により調整具３８が背面方向に付勢された状態で、掛止部３９の上面にハンガー本体１４の掛止段部３７が掛合されるように配置され、なおかつ、調整具３８が背面側から利用者等により押圧されて掛止部３９が正面側に移動された状態で、掛止部３９と掛止段部３７との掛合が解かれるように配置されている。
【００３７】
また、この調整具３８をハンガー装置１３に取り付ける際には、ハンガー本体１４の取付部３１の挿入孔４１と筒状部材２８の挿通部５０とが重なる位置に合わせられた状態で、調整具３８は、前後方向に延設された付勢手段としてのコイルバネ６０と共に、調整具３８が筒状部材２８の外周側から挿通部５０に挿入される。そして、止着部５７が止着孔４７に止着されることにより、調整具３８は、コイルバネ６０により背面側方向に付勢される一方で、挿通部５０から抜けることが防止される。
【００３８】
さらに、ハンガー本体１４の高さ調整がなされる場合には、調整具３８の背面が利用者により押圧されることで、調整具３８の掛止部３９が正面側方向に移動されて、掛止部３９とハンガー本体１４の掛止段部３７との掛合が解かれ、ハンガー本体１４は筒状部材２８に対して上下方向に移動可能な状態となる。そして、ハンガー本体１４を筒状部材２８に対して上下方向に摺動させて、ハンガー本体１４が利用者の所望の位置に達した状態で、調整具３８の押圧を解くと、ハンガー本体１４が筒状部材２８に対して移動不可能となり、利用者の所望の位置付近で安定的に固定される。
【００３９】
次に、オプション部材としてのヘッドレスト装置２６について図９に基づいて説明する。ヘッドレスト装置２６は、背凭れ１０に取り付けられ前後方向を向く板状の支持部６１と、この支持部６１から上方に延設されたヘッドレスト本体５９とを備えている。
【００４０】
ヘッドレスト装置２６の支持部６１は、その正面側に、筒状部材２８の支持部４５の嵌合凸部２３と同一の形状をなし正面側方向に突出する嵌合凸部２３’が形成されている。さらに、この嵌合凸部２３の内面は、上述の凹部態様の重合面２７、２７’’と平行に形成されて相互に密接しうるようになっており、凹部態様の重合面２７、２７’’と重合可能な凸部態様の重合面２７’’’’となっている（図１０参照）。また、この嵌合凸部２３’の内面には、背凭れ１０の貫通孔２５に対応する共通の位置に、支持部４５の背面側に貫通する貫通孔２５’’が左右に２つずつ形成されている。
【００４１】
一方で、ヘッドレスト装置２６の支持部６１の背面側には、支持部６１の正面側から貫通される貫通孔２５’’を囲うように、背凭れ１０の固定部２４と同様の嵌合凹部５２’’が形成されるとともに、固定部２４と共通の形状をなす凹部態様の重合面２７’’’が形成される。
【００４２】
なお、ヘッドレスト本体５９が支持部６１に対して上方に延設されていることで、ハンガー装置１３とヘッドレスト装置２６とが相互に干渉することが防止され、利用者がハンガー装置１３やヘッドレスト装置２６を使用する際の利便性を向上させられるようになっている。
【００４３】
次に、図９および図１０に基づいて、本発明に係る複数のオプション部材としてハンガー装置１３とヘッドレスト装置２６とを椅子１の背凭れ１０に取り付ける方法について説明する。なお、本実施例では、複数のオプション部材を背凭れ１０に取り付ける方法を示すが、１つのオプション部材、例えば、ハンガー装置１３のみを椅子１に取り付けることもできる（図３参照）。
【００４４】
まず、椅子１の背凭れ１０の背面の固定部２４（嵌合凹部）の凹状の窪みに、ヘッドレスト装置２６の嵌合凸部２３’を背面側上方からあてがうようにして、固定部２４の内側に嵌合凸部２３’を嵌め込む。このとき、台形形状に形成された固定部２４および嵌合凸部２３’の左右両辺部が相互にガイドとして機能するので、固定部２４に嵌合凸部２３’を容易に嵌め込むことができる。
【００４５】
さらに、ヘッドレスト装置２６の嵌合凹部５２’’の凹状の窪みに、ハンガー装置１３の嵌合凸部２３を背面側上方からあてがうようにして嵌め込む。
【００４６】
そして、ヘッドレスト装置２６の背面側から、貫通孔２５’に貫通ボルト６２をそれぞれ挿入し、背凭れ１０の上枠杆２１の内部で雌ネジ部としてのナット５８と貫通ボルト６２とを締結させる（図１０参照）。これにより、重合された複数のオプション部材同士の重合面同士が連結され、相互に脱落不能となる。なお、貫通ボルト６２は、取り付けられる複数のオプション部材のすべてを貫通して、背凭れ１０内のナット５８に締結されるように、オプション部材の個数に応じて適した長さのものが用いられる。
【００４７】
その後、ハンガー装置１３の嵌合凹部５２’を塞ぐカバーとしての装飾キャップ６３を、ハンガー装置１３の背面側から取り付ける。この装飾キャップ６３は、図１０に示すように、この装飾キャップ６３は、ハンガー装置１３やヘッドレスト装置２６の嵌合凹部５２’、５２’’の凹状の嵌合面に一致する形状に形成されており、外周面と内周面とにより嵌合凹部５２’に嵌合される。また、装飾キャップ６３の背面側は、平面の板状に形成されている。これにより、装飾キャップ６３の背面側方向に突出が生じないようになっている。なお、装飾キャップ６３の背面は装飾されたり彩色されたりしてもよく、最背面の嵌合凹部５２’を装飾キャップ６３で塞ぐことで、オプション部材の支持部におけるデザイン性を向上させることができる。
【００４８】
なお、背凭れ１０の固定部２４とオプション部材の嵌合凹部５２’、５２’’および嵌合凸部２３、２３’’とがそれぞれ共通の形状の重合面を有するとともに、重合面の共通の位置に貫通孔２５、２５’、２５’’が形成されているので、所定のオプション部材のみを椅子１に取り付けたり、複数のオプション部材の椅子に対する取り付け順序を適宜変更したりすることができる。
【００４９】
以上により、図１０に示す重合連結手段を利用することで、複数のオプション部材が椅子１の前後方向に重合され、相互に脱落不能とされた状態で背凭れ１０に支持させることができる。
【００５０】
これにより、背凭れ１０の背面に固定部２４が設けられるとともに、ハンガー装置１３やヘッドレスト装置２６（複数のオプション部材）にはそれぞれ前後方向に重合可能となる支持部４５、６１を備え、背凭れ１０の背面の固定部２４と複数のオプション部材の支持部４５、６１とを固定できるようになっているので、複数のオプション部材の支持部同士が前後方向に重合した状態で背凭れ１０の固定部２４に支持されるので、オプション部材の取り付け個数が制限されることなく重合固定できることになるばかりか、オプション部材の支持部と背凭れ１０の背面側の固定部２４との間に隙間が形成されることがなく、支持強度を確保できる。
【００５１】
また、複数のオプション部材の支持部４５、６１は、該支持部同士が凹凸嵌合によって連結されるための重合面２７’、２７’’、２７’’’、２７’’’’を備えているので、オプション部材の支持部同士が凹凸嵌合によって連結されることにより、両者の位置決めが容易になるばかりか、重合面同士の接触面積が大となり相互の支持強度を高めることができる。
【００５２】
また、背凭れ１０の背面側の固定部２４は、オプション部材の支持部４５、６１と凹凸嵌合によって連結可能な重合面２７を備えているので、背凭れの背面側の固定部２４とオプション部材の支持部４５、６１とが凹凸嵌合によって連結されることにより、両者の位置決めが容易になるばかりか、重合面同士の接触面積が大となり相互の支持強度を高めることができる。
【００５３】
また、オプション部材の支持部４５、６１の前後両面にそれぞれ凹部態様の重合面２７’’、２７’’’と凸部態様の重合面２７’’、２７’’’を備え、これら重合面は全ての前記オプション部材の支持部４５、６１に共通に形成されているとともに、背凭れ１０の背面側の固定部２４に凹部態様の重合面２７が形成されているので、背凭れ１０の背面側の固定部２４に取り付けられるオプション部材の配置順序を自由に選択して、背凭れ１０の背面側の固定部２４とオプション部材の支持部４５、６１とを凹凸嵌合によって固定できることになる。
【００５４】
また、オプション部材の支持部４５、６１の背面が凹部態様の重合面２７’’、２７’’’として形成され、この凹部態様の重合面と凹凸嵌合可能な凸部態様の重合面７０を正面に備えた装飾キャップ６３を有しているので、重合固定された最後端のオプション部材の背面側の重合面を装飾キャップ６３によって容易に隠蔽できることになる。
【００５５】
また、背凭れ１０の背面側の固定部２４にはナット５８（雌ねじ部）が設けられるとともに、複数のオプション部材の支持部４５、６１には共通位置に貫通孔２５’、２５’’が設けられ、貫通孔２５’、２５’を介して挿通される貫通ボルト６２で背凭れ１０の背面側の固定部２４と複数のオプション部材の支持部４５、６１とを一体に固定できるようになっているので、重合するオプション部材を容易に且つ強力に背凭れ１０の背面側の固定部２４に固定できることになる。
【００５６】
また、嵌合凹部５２、５２’、５２’’および嵌合凸部２３、２３’’の共通形状が、下方側が上方側に対して漸次小となる台形に形状されているので、椅子１にハンガー装置１３やヘッドレスト装置２６（複数のオプション部材）を取り付ける際に、嵌合凹部の凹状の窪みに嵌合凸部を背面側上方からあてがうようして嵌め込むことで、台形をなすそれぞれの左右両辺部が相互にガイドとして機能するので、嵌合凹部への嵌合凸部の嵌め込むみ作業を容易にできることになる。
【００５７】
また、椅子１に取り付けられるオプション部材の個数に対しいて十分に長い貫通ボルト６２が用いられることで、背面側のオプション部材が正面側のオプション部材に対して強力に固定されるとともに、複数のオプション部材と背凭れ１０とが貫通ボルト６２によって一体的に支持されるので、背面側のオプション部材が背凭れ１０や正面側のオプション部材に対して下方に撓んで取り付けられることが防止される。これにより、利用者によってオプション部材が椅子１に取り付けられる場合であっても、椅子全体の重心が当初設計位置から大きくずれてしまうことが防止され、椅子の安定性を維持できることになる。
【００５８】
以上、本発明の実施例を図面により説明してきたが、具体的な構成はこれら実施例に限られるものではなく、本発明の要旨を逸脱しない範囲における変更や追加があっても本発明に含まれる。
【００５９】
例えば、前記実施例では、重合面２７、２７’、２７’’、２７’’’、２７’’’’、７０が略台形状に形成されているが、背凭れ１０および複数のオプション部材に共通した形状で形成される限り、重合面は略台形状に限らず長方形や楕円形に形成されてもよく、さらには複数の方形等に形成されもよい。
【００６０】
また、前記実施例では、ハンガー本体１４の筒状部４２が支持部４５の下方に延設されて、 ヘッドレスト本体５９が支持部６１の上方に延設されるようにしているが、ハンガー装置１３とヘッドレスト装置２６とが互いに干渉しない限り、筒状部４２を支持部４５の上方や側方に延設さたり、 ヘッドレスト本体５９を支持部６１の下方や側方に延設させてもよい。
【００６１】
また、前記実施例での筒状部材２８は、上述のハンガー本体１４を支持しつつ、背凭れ１０に取り付けられようになっているが、筒状部材２８が、ハンガー本体１４に限らずヘッドレスト本体等の他のオプション部材を上下方向に移動可能に支持しつつ、背凭れ１０に取り付けられようにされるようにしてもよい。
【００６２】
また、前記実施例では、背凭れ１０に凹状の固定部２４を設けているが、背凭れ１０に凸状の嵌合凸部を設けるとともに、他のオプション部材の正面側に嵌合凹部を設け、背面側に嵌合凸部を設けるようにしてもよい。
【００６３】
また、前記実施例では、装飾キャップ６３を嵌合凹部５２’、５２’’の凹状の嵌合面に一致する形状に形成して、装飾キャップ６３の外周面と内周面とにより装飾キャップ６３が嵌合凹部５２’、５２’’に嵌合されるようにしているが、装飾キャップ６３を嵌合凹部の凹状の嵌合面よりも大きく形成するとともに、装飾キャップの正面側にハンガー装置やヘッドレスト装置と同様の嵌合凸部を設けるようにしてもよい。
【符号の説明】
【００６４】
１                椅子
２                キャスタ
４                脚体
５                脚柱
６                支基
７                座
１０              背凭れ
１３              ハンガー装置
１４              ハンガー本体（オプション部材）
１８              背凭れフレーム
２１              上枠杆
２３，２３’      嵌合凸部
２４              固定部
２５，２５’      貫通孔，
２５’’           貫通孔
２６              ヘッドレスト装置
２７，２７’’     重合面
２７’’’，２７’’’’重合面
２８              筒状部材
３１              取付部
３８              調整具
４５              支持部
５２，５２’      嵌合凹部
５２’’           嵌合凹部
５８              ナット
５９              ヘッドレスト本体
６１              支持部
６２              貫通ボルト
６３              装飾キャップ
７０              重合面
【図１】
2014083128.tif 000003
【図２】
2014083128.tif 000004
【図３】
2014083128.tif 000005
【図４】
2014083128.tif 000006
【図５】
2014083128.tif 000007
【図６】
2014083128.tif 000008
【図７】
2014083128.tif 000009
【図８】
2014083128.tif 000010
【図９】
2014083128.tif 000011
【図１０】
2014083128.tif 000012